(57)【特許請求の範囲】
【請求項１】
背凭れにハンガーが取り付けられる椅子であって、
衣服を掛けることができるよう左右に拡張したハンガー本体を支持する取付端に、当該取付端を背凭れの背面側に止着するためのボルトの軸部を挿通するボルト挿通孔を穿ち設け、前記ボルトの頭部及び前記ボルト挿通孔を隠蔽するキャップを前記取付端に対して着脱可能としており、
前記キャップの前向面に突起を設ける一方、前記背凭れにおける前記ハンガーを取り外した際に露出する部位に嵌合穴を形成しておき、前記突起と前記嵌合穴との嵌め合いを通じて当該部位に前記取付端から取り外したキャップを装着できるように構成し、
前記嵌合穴は、背凭れの背面側に開口している、背凭れにハンガーを取り付ける際に前記ボルトの軸部がねじ入れられる螺入穴である椅子。
【請求項２】
背凭れにハンガーを一度も取り付けていない段階で、背凭れの外装となる張地によって前記螺入穴が覆われている請求項１記載の椅子。
【請求項３】
背凭れからハンガーを取り外した際、前記キャップの突起を、背凭れの外装となる張地に穿たれた前記ボルトを通すための貫通孔を介して前記螺入穴に嵌め入れる請求項２記載の椅子。
【請求項４】
前記キャップの突起は、前記螺入穴の内径に略等しい外径の円柱状の外形をなし、その周面に凹凸を形成している請求項１、２または３記載の椅子。
【請求項５】
前記取付端の後背に、前方に凹み後方に開口する凹部を形成し、この凹部の底を前後に貫通させて前記ボルトの軸部を挿通するボルト挿通孔を穿ち設けており、前記キャップにより前記凹部を後方から閉塞することで前記ボルトの頭部及び前記ボルト挿通孔を隠蔽することとしており、
前記キャップの突起が他の部材やボルトに干渉しない形で前記凹部内に収まる請求項１、２、３または４記載の椅子。
【発明の詳細な説明】
【技術分野】
【０００１】
本発明は、オフィス等において使用されるハンガー付きの椅子に関する。
【背景技術】
【０００２】
近時の事務用（または、執務用）椅子の中には、衣類を掛けておくことのできるハンガーを背凭れに取り付けているものが存在する。
【０００３】
例えば、下記特許文献１に開示されている椅子では、左右一対の棒状のハンガー部材の下部を取付具に支持させ、その取付具を背板に穿たれた孔に係わり合わせて固定している。また、下記特許文献２に開示されている椅子では、背凭れの上縁部から後方に膨出した横フレームの前面に予め凹溝を形成しておいた上、ハンガー本体を支える二本の脚を背凭れの上縁部と横フレームとの間隙に差し入れ、それぞれを前記凹溝を利用して止着するようにしている。
【０００４】
使用者の任意に応じ、ハンガーを背凭れから取り外した状態で椅子を使用する場合、背凭れに穿たれている、ハンガーを固着するためのボルトがねじ入れられる穴等が露わとなり、家具としての格調、美観を損なうことがあった。
【先行技術文献】
【特許文献】
【０００５】
【特許文献１】特開２００４−１２１４０３号公報
【特許文献２】特開２０１０−０２２５７３号公報
【発明の概要】
【発明が解決しようとする課題】
【０００６】
本発明は、ハンガー付きの椅子にあって、ハンガーを背凭れから取り外して使用する場合にも家具としての格調、美観が保たれるようにすることを所期の目的としている。
【課題を解決するための手段】
【０００７】
本発明では、背凭れにハンガーが取り付けられる椅子であって、衣服を掛けることができるよう左右に拡張したハンガー本体を支持する取付端に、当該取付端を背凭れの背面側に止着するためのボルトの軸部を挿通するボルト挿通孔を穿ち設け、前記ボルトの頭部及び前記ボルト挿通孔を隠蔽するキャップを前記取付端に対して着脱可能としており、前記キャップの前向面に突起を設ける一方、前記背凭れにおける前記ハンガーを取り外した際に露出する部位に嵌合穴を形成しておき、前記突起と前記嵌合穴との嵌め合いを通じて当該部位に前記取付端から取り外したキャップを装着できるようにし、前記嵌合穴が、背凭れの背面側に開口している、背凭れにハンガーを取り付ける際に前記ボルトの軸部がねじ入れられる螺入穴である椅子を構成した。このようなものであれば、背凭れからハンガーを取り外して椅子を使用する場合において、キャップを流用して、背凭れに穿たれたボルトがねじ入れられる穴等を好適に隠蔽することができる。
【０００８】
前記嵌合穴が、背凭れの背面側に開口している、背凭れにハンガーを取り付ける際に前記ボルトの軸部がねじ入れられる螺入穴であるならば、元々設けられている螺入穴をキャップの装着に利用できる。即ち、背凭れにキャップを取り付けるための専用の穴等を別途背凭れに穿ち設ける必要がなくなる。
【０００９】
背凭れにハンガーを一度も取り付けていない段階で、背凭れの外装となる張地によって前記螺入穴が覆われているならば、ハンガーを装備しない仕様の椅子、またはハンガーがオプションである椅子において、キャップを使用せずにその格調、美観を高めることができる。
【００１０】
背凭れからハンガーを取り外した際、前記キャップの突起を、背凭れの外装となる張地に穿たれた前記ボルトを通すための貫通孔を介して前記螺入穴に嵌め入れるものとすれば、張地に開いた貫通孔をキャップによって確実に隠蔽することができる。
【００１１】
前記キャップの突起が、前記螺入穴の内径に略等しい外径の円柱状の外形をなしており、その周面に凹凸を形成していれば、螺入穴の内周に形成されている雌ねじに突起がよく係合し、キャップが背凭れから脱落しにくくなる。
【００１２】
前記取付端の後背に、前方に凹み後方に開口する凹部を形成し、この凹部の底を前後に貫通させて前記ボルトの軸部を挿通するボルト挿通孔を穿ち設けており、前記キャップにより前記凹部を後方から閉塞することで前記ボルトの頭部及び前記ボルト挿通孔を隠蔽することとしており、前記キャップの突起が他の部材やボルトに干渉しない形で前記凹部内に収まるように構成すれば、ハンガーの取付端の凹部にキャップを装着している間は突起が摩耗せず、キャップの再利用に好適となる。
【発明の効果】
【００１３】
本発明によれば、ハンガーを背凭れから取り外して使用する場合にも家具としての格調、美観を保つことが可能となる。
【図面の簡単な説明】
【００１４】
【図１】本発明の一実施形態を示す前方からの斜視図。
【図２】同実施形態の張地を分解して示す前方からの斜視図。
【図３】同実施形態の張地を一部省略して示す正面図。
【図４】同実施形態の張地を分解して示す左側面図。
【図５】同実施形態の張地を一部省略して示す背面図。
【図６】同実施形態の脚を省略して示す後方からの斜視図。
【図７】同実施形態の全体を一部省略して示す分解斜視図。
【図８】同実施形態の支持基部及び背支持アームの要部を拡大して示す前方からの斜視図。
【図９】同実施形態の支持基部及び背支持アームの要部を拡大して示す分解斜視図。
【図１０】同実施形態の支持基部を一部省略して分解して示す後方からの斜視図。
【図１１】同実施形態の支持基部を分解して示す正面図。
【図１２】同実施形態の支持基部及び座を示す左側面図。
【図１３】同実施形態のロッキング機構を示す図１２に相当する作用説明図。
【図１４】同実施形態の座と座受を示す分解斜視図。
【図１５】図５における要部を示したＡ−Ａ線断面図。
【図１６】図４における要部を示したＢ−Ｂ線断面図。
【図１７】図１６における要部を示したＣ−Ｃ線断面図。
【図１８】同実施形態の背凭れ支持体と背支持部材との取付構造を示した斜視図。
【図１９】同実施形態の背シェル及び背支持部材を分解して示す斜視図。
【図２０】同実施形態の背シェルの正面図。
【図２１】同実施形態の背支持部材の正面図。
【図２２】図３における要部を示したＤ−Ｄ線断面図。
【図２３】図３における要部を示したＥ−Ｅ線断面図。
【図２４】図５におけるＦ−Ｆ線拡大断面図。
【図２５】図２１におけるＧ−Ｇ線断面図。
【図２６】同実施形態のハンガーの正面図。
【図２７】同実施形態のハンガーの取付端を切断した底断面図。
【図２８】同実施形態のハンガーの取付構造を示した分解斜視図。
【図２９】同実施形態のハンガーの取付構造を示した側断面図。
【図３０】同実施形態におけるハンガーを取り外した状態を示す後方からの斜視図。
【図３１】同実施形態におけるハンガーを取り外した状態を示す側断面図。
【発明を実施するための形態】
【００１５】
以下、本発明の一実施形態を、図１ないし図３１を参照して説明する。
【００１６】
この実施形態は本発明を事務用回転椅子に適用した場合のものである。
【００１７】
この椅子は、図１ないし図７に示すように、脚１と、この脚１に支持された支持基部３と、この支持基部３上に配された座受５と、この座受５に支持された座７と、前記支持基部３に回動可能に支持された背凭れ支持体９と、この背凭れ支持体９に取付けた背凭れ１１と、この背凭れ１１の後傾動作に伴わせて前記座受５及び座７を上動及び傾動させるロッキング機構１３と、前記背凭れ支持体９に設けられた肘掛け１５と、背凭れ１１の背後に設けられたハンガー０とを具備してなる。
【００１８】
《脚の構成》
脚１は、図１ないし図７に示すように、脚ベース１７と、この脚ベース１７の中心部に設けられた脚支柱１９を備えてなる。
【００１９】
脚ベース１７は、図１ないし図５及び図７に示すように、中心部に設けたハブ２１から複数本の脚羽根２３を放射状に突出させて設けたもので、前記脚羽根２３先端にキャスタ２５をそれぞれ設けている。
【００２０】
前記脚支柱１９は、図１ないし図５、図７及び図１４に示すように、ガススプリングタイプのもので上下方向に弾性的に伸縮し、所望の位置においてロックすることができるようにした通常のものである。すなわち、この脚支柱１９は前記脚ベース１７のハブ２１に嵌着されたガススプリング本体２７と、このガススプリング本体２７の上端から突出させたロッド２９とを備えたもので、前記ロッド２９の上端にロック解除用の操作ボタン３１が突出させてある。そして、このロッド２９の上端部に支持基部３を装着している。前記ロック解除用操作ボタン３１は、後述する肘掛け１５に設けられた昇降用の操作レバー２９５により操作される。
【００２１】
《支持基部の構成》
支持基部３は、図７ないし図１３に示すように、前記脚支柱１９のロッド２９に取付けられるメインフレーム３３と、このメインフレーム３３に取付けられた前リンク軸３５及び支軸３７を具備してなるものである。前リンク軸３５は、前リンク３９を介して前記座受５の前端部を支持するためのものである。支軸３７は、前記背凭れ支持体９を支持するとともに後リンク４１を介して座受５の略中間部を支持するためのものである。
【００２２】
メインフレーム３３は、図７ないし図１３に示すように、前記脚支柱１９におけるロッド２９の上端部に嵌着されるボス部４３と、このボス部４３の上端側を囲う平面視半円弧状をなす後フレームメンバ４５と、この後フレームメンバ４５の左右の前端からそれぞれ前方に延出する一対の側フレームメンバ４７と、これら側フレームメンバ４７の前端部間を結合し前端に平坦な面を有する前フレームメンバ４９とを備えたものである。これらボス部４３、後フレームメンバ４５、側フレームメンバ４７、及び前フレームメンバ４９は、アルミダイキャスト等により一体に成型されている。前フレームメンバ４９の上面部には、前記前リンク軸３５を支持する前の軸受部５１が一体に設けられているとともに前記後フレームメンバ４５と側フレームメンバ４７との境界付近には前記支軸３７を支持する後ろの軸受部５３が一体に設けられている。なお、２つの軸受部５１、５３の軸心の床面からの高さが異なっており、前の軸受部５１の方が後ろの軸受部５３より高い位置に設定されている。
【００２３】
そして、このメインフレーム３３には、図１２に示すように、背凭れ１１を前方に付勢する傾動反力発生機構５５が組み込まれている。
【００２４】
傾動反力発生機構５５は、図８ないし図１３に示すように、基端部が前記支軸３７に支持された左右対をなすトルク伝達用のブラケット５７と、これら左右のトルク伝達用のブラケット５７の先端部間に架設した可動軸５９と、この可動軸５９をメインフレーム３３に設けたバネ受け６１を足場として後方に弾性付勢するスプリング６３とを具備してなる。また、符号６４は、前記脚支柱１９のロッド２９に設けられたロック解除用の操作ボタン３１を押圧するための昇降用ロック解除アームであり、図８ないし図１０に示すように、符号２９７は、肘掛け１５に設けた昇降用の操作レバー２９５の操作力を前記昇降用ロック解除アーム６４に伝達するための昇降用のワイヤである。前記操作レバー２９５を操作することでワイヤ２９７を引くと、支軸３７に外嵌された基端ボス部６６が回動し、基端ボス部６６を挟んでワイヤ２９７と反対側に一体に設けられたロック解除アーム６４が下方に回動する。
【００２５】
また、支持基部３は、図３ないし図６、図１０及び図１１に示すように、上カバー６５と下カバー６７とによって覆われている。
【００２６】
上カバー６５は、図１０及び図１１に示すように、支持基部３を上面側から覆うもので、支持基部３に係合するための下向きに突出した上係止爪６９が設けられている。下カバー６７は、支持基部３を下面側から覆うもので、支持基部３に係合するための上向きに突出した下係止爪７１が設けられている。また、これら上カバー６５と下カバー６７とは、それら開口端縁７３、７５同士が突き合うように配されている。
【００２７】
支持基部３のメインフレーム３３の前側の外周面、換言すれば前フレームメンバ４９の前端の平坦面には、図８、図１０及び図１１に示すように、前記上カバー６５と下カバー６７とを取付けるための上下共用取付部７７とが設けられている。
【００２８】
詳述すれば、前記支持基部３のメインフレーム３３は、図８、図１０及び図１１に示すように、上カバー６５の上係止爪６９と下カバー６７の下係止爪７１とをそれぞれ係わり合わせるための上下共用取付部７７を備えたものであり、前記上下共用取付部７７が、前記上係止爪６９が係わり合う係合端面７９と、前記下係止爪７１が係わり合う係合端面８１と、前記上係止爪６９の横ずれを係止する横ずれ防止用の係止端面８３と、前記下係止爪７１の横ずれを係止する横ずれ防止用の係止端面８５とを備えている。
【００２９】
前記上下共用取付部７７は、図８、図１０及び図１１に示すように、メインフレーム３３における前フレームメンバ４９の前端の外周面８７に設けられたもので、その前端の外周面８７を長方形状に凹陥させたものである。この上下共用取付部７７において、上辺が上カバー６５の上係止爪６９が係わり合う係合端面７９であり、下辺が下カバー６７の下係止爪７１が係わり合う係合端面８１である。また、上下共用取付部７７において、左右両側辺が上カバー６５及び下カバー６７の上係止爪６９及び下係止爪７１に対する横ずれ防止用の係止端面８３、８５である。
【００３０】
なお、メインフレーム３３の外周における前後方向中間付近には、図８ないし図１０、図１２及び図１３に示すように、上カバー６５を取付けるための上専用取付部８９と下カバー６７を取付けるための下専用取付部９１とが設けられている。上カバー６５には上専用取付部８９に係わり合う爪９３が設けられ、下カバー６７には下専用取付部９１に係わり合う爪９５が設けられている。
【００３１】
また、メインフレーム３３の外周における後端には、図１０に示すように、上カバー６５を取付けるための上専用取付部９７と下カバー６７を取付けるための下専用取付部９９とが設けられている。上カバー６５には上専用取付部９７に係わり合う爪１０１が設けられ、下カバー６７には下専用取付部９９に係わり合う爪１０３が設けられている。換言すれば、メインフレーム３３の後フレームメンバ４５には、下専用取付部９９である略水平な中央突条と、この下専用取付部９９の両側に配置した一対の上専用取付部９７である側突条とが設けられている。上専用取付部９７は、前記下専用取付部９９に対して高さを異ならせて配置されている。
【００３２】
以上に加えて、上カバー６５及び下カバー６７の外周同士も突き合わせて嵌合するように、上下カバー６５、６７の開口端縁７３、７５には、回転軸の近傍部分を除いて溝、具体的には、上カバー６５及び下カバー６７の一方には嵌合凹部が外方に露出し、他方には嵌合凹部が内方に露出した互いに嵌合可能なＬ型溝が形成されている。これによって支持基部３の上下専用取付部８９、９１に係合するようにした上下カバー６５、６７の爪９３、９５を配するべく、支持基部３から一定間隔離れた位置を保ってカバーする構成をなしていても上下カバー６５、６７同士を確実に嵌合することができる。
【００３３】
以上説明した支持基部３の前の軸受部５１に前リンク軸３５を介して左右の前リンク３９を回動可能に取付けている。前リンク３９の支持基部３への取付構造は次のようになっている。すなわち、前記支持基部３は、図８ないし図１３に示すように、左右にそれぞれ前記前リンク軸３５を支持する軸受部５１と、軸方向に垂直な対向する一対の平面１０５とを備えたものであり、前記前リンク３９は、椅子本来の機能を発揮し得る使用時回動範囲（Ｕ）では前記平面１０５間に位置し、前記前リンク３９を支持基部３に対して挿脱し得る図示しない挿脱時回動範囲では前記平面１０５外に位置する平面対応部分１０７を備えたもので、支持基部３に前リンク軸３５を介して前リンク３９を回動可能に支持させている。
【００３４】
換言すれば、前記支持基部３は、図８ないし図１３に示すように、前リンク軸３５を支持する前の軸受部５１と、この軸受部５１の軸方向に隣接する位置に前方及び上方に開口したリンクアーム収容部１０９とを備えている。リンクアーム収容部１０９は、前リンク軸３５と直交する一対の平面１０５間に形成されたものである。前記前リンク３９は、上端部に前連結軸１１１を保持する軸孔１１３を有するとともに基端部に前リンク軸３５に外装されるボス部１１５を有しており、このボス部１１５の外周にリンクアーム１１７を備えている。このリンクアーム１１７は、前記リンクアーム収容部１０９に対応する平面対応部分１０７を有している。
【００３５】
そして、前記使用時回動範囲（Ｕ）では、前記リンクアーム１１７の平面対応部分１０７が前記リンクアーム収容部１０９の対向する平面１０５間に位置する。そのため、左右の前リンク３９が、前記前リンク軸３５と前連結軸１１１とから外れることが禁止されている。一方、前記挿脱時回動範囲では、前記リンクアーム１１７の平面対応部分１０７が前記リンクアーム収容部１０９の対向する平面１０５外に位置する。そのため、左右の前リンク３９が、前記前リンク軸３５と前連結軸１１１とから外れ得るようになっている。組立状態においては、前リンク３９が前記挿脱時回動範囲にまで回動できないように設定されている。組付け時には、前リンク３９を後ろに寝かせて左右から、座受５の前リンク取付部１２１に通した前連結軸１１１と、メインフレーム３３の前の軸受部５１に通した前リンク軸３５に嵌め込む。その状態で、前記前リンク３９を前に倒してリンクアーム収容部１０９の対向する平面１０５間に前リンク３９のリンクアーム１１７を嵌め込む。その後、座受５の略中間部に位置する後リンク取付部１２７に後連結軸１２３をそれぞれ嵌め込んで、左右から背支持アーム１５１を付けることにより、前述した組立状態となる。すなわち、ねじ等の抜け止め部品を用いることなしに、左右の前リンク３９をメインフレーム３３に取付けることができる。
【００３６】
以上のようにしてなる支持基部３に、前リンク３９及び後リンク４１を介して座受５を支持させている。
【００３７】
《座受の構成》
座受５は、図４ないし図６、図１２、図１３及び図１５に示すように、アウターシェルと称し得る形態をなすもので、この実施形態においては合成樹脂により一体に成型されている。座受５の下面には、前連結軸１１１を介して前リンク３９の回動端１１９を取付けるための前リンク取付部１２１と、後連結軸１２３を介して後リンク４１の回動端１２５を取付けるための後リンク取付部１２７が設けられている。前記前リンク取付部１２１及び後リンク取付部１２７は、座受５に一体に設けられている。
【００３８】
座受５の上面には、縦横にマス目状にリブ１２６が形成され、そのリブ１２６の一部平行な２つのものがそのまま座受５の下方に突出するように伸びて前リンク取付部１２１及び後リンク取付部１２７を構成している。前リンク取付部１２１及び後リンク取付部１２７の左右は、貫通孔を有した側壁１２８、１３０により塞がれている。これらの側壁１２８、１３０も前記リブ１２６の一部を下方に延長して形成してもよい。その他のリブ１２６はこれらのリブ１２６と複数箇所でつながるように形成され、座受５自体の強度だけでなく、前リンク取付部１２１、後リンク取付部１２７の強度にも寄与するように設計されている。すなわち、前記前リンク取付部１２１及び後リンク取付部１２７は、それぞれ前壁１１８、１２２と後壁１２０、１２４と左右の側壁１２８、１３０とを備えた中空体状のもので、前記前壁１１８、１２２、後壁１２０、１２４及び左右の側壁１２８、１３０の少なくとも１枚は、前記リブ１２６の一部を下方に延長することにより形成されている。
【００３９】
《座の構成》
座７は、図７、図１４及び図１５に示すように、前記座受５の上面に取付けられたインナーシェル１２９と、このインナーシェル１２９の上に配設したクッション１３１と、このクッション１３１の外面に張設した張地１３３とを備えたものである。
【００４０】
インナーシェル１２９は、図１５に示すように、合成樹脂により一体に成型されたもので、図示しない爪等により、座受５に固定されている。このインナーシェル１２９は、前側に斜め下方になだらかに垂れ下がる前端垂れ下がり部分１３５を設けるとともに、前記中間部１３７と前記周縁部１３９との境界に中間部１３７が周縁部１３９よりも下方に膨出するような環状の段部１４１が形成されている。
【００４１】
クッション１３１は、図１４及び図１５に示すように、発泡ウレタン等により作られたもので、前側に前記インナーシェル１２９の前端垂れ下がり部分１３５に沿うクッション垂れ下がり部分１４３を備えている。また座７の芯材であるクッション１３１の上面には一方向に並ぶ凹凸部、換言すれば、この実施形態では前後方向に並ぶ溝１４５を複数本設けている。
【００４２】
張地１３３は、図１ないし図７、図１４及び図１５に示すように、クッション１３１及びインナーシェル１２９の周縁部１３９を覆う袋状のものである。張地１３３の外周縁１４７は筒状に縫製し、その内に紐１４８を通してある。張地１３３の縁１４７は、インナーシェル１２９の下面側に巻き込み、紐１４８を引っ張ることで、紐１４８とともにインナーシェル１２９の下面側に設けた段部１４１に掛け止める。これにより、張地１３３の縁１４７は、インナーシェル１２９の段部１４１の端面に沿って配される。さらに、インナーシェル１２９の段部１４１及び張地１３３の縁１４７は、前記座受５により下方から隠されるように覆われる。因みに、インナーシェル１２９の四隅において、張地１３３をインナーシェル１２９に対してタッカ止め、接着等により固着するようにしてもよい。特に、本実施形態のインナーシェル１２９の前側は垂れ下がっていることから、張地１３３の前側の隅角部をこのようにして固定することで確実な外れ止めになる。
【００４３】
この張地１３３には、前記クッション１３１に形成された溝１４５に関連させて視覚的特徴部分が形成されている。この実施形態において視覚的特徴部分は、前記張地１３３にエンボス加工（例えば、張地１３３となる布や皮革等を、視覚的特徴部分に対応した凹凸模様を形成した押し型を以て強圧する。張地１３３が合成繊維製品である場合、型押しとともに加熱する。張地１３３がレーヨンや木綿等である場合、当該生地に樹脂加工を施してから型押しして加熱する）を施してなる線条１４９である。線条１４９は、張地１３３の上面から若干凹み、張地１３３の下面から下方に突出している。線条１４９は、この実施形態では前後方向に並ぶように複数本存在しており、張地１３３をクッション１３１に被せたときに平面視クッション１３１の溝１４５に上方から重なり合う位置に存在している。ただし、線条１４９が着座者やその他の者の視覚に認識されることが重要なのであり、クッション１３１の溝１４５と張地１３３の線条１４９とは、必ずしも平面視重なり合うとは限られない。
【００４４】
クッション１３１の上面側に張られた張地１３３及びその視覚的特徴部分１４９と、クッション１３１との間には、凹凸部１４５による空隙が介在する。この凹凸部１４５が、着座面の通気性の確保に寄与し、座り心地の向上をもたらす。
【００４５】
《背凭れ支持体の構成》
背凭れ支持体９は、図７ないし図９、図１６及び図１７に示すように、前記支持基部３から後上方に延出させた左右の背支持アーム１５１と、これら左右の背支持アーム１５１の上端部１６９同士を連結する上連結材１５３と、前記トルク伝達用のブラケット５７の基端から一体に後上方に向けて延設され前記背支持アーム１５１の基端部内側面に添接する左右の背支持ブラケット１５５と、これら左右の背支持ブラケット１５５の後端を連結する下連結材１５７とを具備してなる。
【００４６】
左右の背支持アーム１５１は、図１ないし図９、図１３、図１６ないし図１８に示すように、それぞれ前記支持基部３に回動可能に支持された樹脂製のものであり、前後方向に延びる前後方向延出部１５９と、この前後方向延出部１５９の後端から連続して上方に伸びる起立部１６１とを備えたものである。図示例では、前後方向延出部１５９と起立部１６１とは、側面視略くの字状をなしている。各背支持アーム１５１は、その基端部、すなわち前記前後方向延出部１５９の前端部１６３に、前記支持基部３に設けられた支軸３７の端部１６５に外側から嵌め合わせるための軸装部１６７を備えている。また、各背支持アーム１５１は、その先端部、すなわち前記起立部１６１の上端部１６９に、上連結材１５３を取付けるためのアーム突出部１７１を備えている。
【００４７】
各背支持アーム１５１の軸装部１６７は、図３ないし図９及び図１６に示すように、前記支軸３７の端部１６５を嵌合させるべく内方にのみ開口させた軸穴１７３を備えている。具体的には、この軸穴１７３にブッシュ１７５を介して前記支軸３７の端部１６５が相対回転可能に嵌合されるようになっている。ブッシュ１７５は、支軸３７を装着する前に背支持ブラケット１５５の内側面側から貫装させたものであり、このブッシュ１７５の内周に前記支軸３７が相対回転可能に嵌入される。ブッシュ１７５の鍔部１７７は、前記背支持ブラケット１５５とメインフレーム３３との間に位置している。このブッシュ１７５の外周に前記軸装部１６７が外嵌されており、この軸装部１６７によって前記支軸３７の端部１６５がカバーされるようになっている。前記軸穴１７３は開口端部側が大径となるテーパー状をなしており、前記支軸３７は円柱状をなしている。ブッシュ１７５は、前記軸穴１７３の内周面と前記軸３７の外周面との間を埋める形状をなしている。すなわち、ブッシュ１７５の外周面はテーパー状をなし、内周面は各部同一断面形状をなす円柱形状をなしている。
【００４８】
なお、前記軸装部１６７の外周には、図３ないし図９、図１６及び図１７に示すように、前記後リンク４１が一体に設けられている。また、この軸装部１６７の近傍における前記各背支持アーム１５１の内側面には、前記下連結材１５７の片半部１７９をカバーするカバー部材１８１がそれぞれ一体に突設されている。カバー部材１８１には、ねじ挿通孔１８３が設けられており、このねじ挿通孔１８３に挿通されたねじ１８７を前記下連結材１５７に設けられたねじ孔１８５に螺着することにより、左右の背支持アーム１５１が下連結材１５７に取付けられる。
【００４９】
この状態では、左右の背支持アーム１５１が下連結材１５７を介して相互に結合されるので、軸装部１６７が支軸３７から抜け出ることがなくなる。すなわち、後端を下連結材１５７により連結された左右の背支持ブラケット１５５を支軸３７を介して支持基部３に支持させ、前記支軸３７の前記背支持ブラケット１５５よりも外側に突出する両端部１６５に前記背支持ブラケット１５５と共に回動する左右の背支持アーム１５１を支持させているので、前記左右の背支持アーム１５１を前記背支持ブラケット１５５の左右外方から取付けることで、前記支軸３７、背支持ブラケット１５５及び下連結材１５７をカバーすることができる。この実施形態においては、左右の背支持アーム１５１のカバー部材１８１の端部１８９同士が組立状態において密に突き合うようになっている。
【００５０】
背支持アーム１５１のアーム突出部１７１は、図７及び図１８に示すように、上連結材１５３の端部を取付けるためのもので、ねじ挿通孔１９１とこのねじ挿通孔１９１に連続するねじ孔を有した図示しないナットとを備えている。
【００５１】
上連結材１５３は、図７及び図１８に示すように、チャネル状をなす金属製のもので、左右の背支持アーム１５１のアーム突出部１７１間に架設した上で、前記ナットに螺着されるねじ１９５により前記各背支持アーム１５１に取付けられる。すなわち、上連結材１５３は、後方に開口する形状をなし、前記アーム突出部１７１に前側から嵌め合わせて背支持アーム１５１の上端部１６９間に架設される。
【００５２】
背支持ブラケット１５５は、図９、図１２、図１３、図１６及び図１７に示すように、金属製のもので、前記トルク伝達用ブラケット５７と一体に作られており、前記支軸３７を介してメインフレーム３３に回動可能に支持されている。
【００５３】
下連結材１５７は、図９、図１６及び図１７に示すように、金属製のもので、その両端部が、前記背支持ブラケット１５５の後端に溶接により剛結されている。この下連結材１５７は、背支持ブラケット１５５と協働して合成樹脂製の背支持アーム１５１の骨格的な機能を有している。また、左右から嵌め付けられる背支持アーム１５１が左右に離脱するのを防止するための土台としての機能も有している。さらに、下連結材１５７は、背凭れ１１に作用する後傾方向の荷重を背支持アーム１５１を介して受け止め、その荷重を背支持ブラケット１５５を介して傾動反力発生機構５５のトルク伝達用のブラケット５７に伝える機能をも有している。
【００５４】
以上のようにしてなる背凭れ支持体９に背凭れ１１を支持させてなる。
【００５５】
《背凭れの構成》
背凭れ１１は、図１ないし図７に示すように、頂部２０１において略水平になるまで湾曲させてなりほぼ中間部に弾性変形助長用の開口部２０３を有した樹脂製の背シェル２０５と、この背シェル２０５の頂部２０１よりも後方に位置する先端縁２０７を支持する背支持部材２０９と、前記背シェル２０５の表面側に添設された張地２０６とを具備してなる。
【００５６】
背シェル２０５は、図２ないし図７、図１９、図２０、図２２ないし図２４に示すように、背凭れ支持体９に支持された樹脂製のものであり、頂部２０１において略水平になるまで湾曲させてなりほぼ中間部に弾性変形助長用の開口部２０３を有したものである。すなわち、この背シェル２０５は、上部領域２１１に上下方向に伸びる複数の帯状部材２１３が左右に並び、それら帯状部材２１３間に前記開口部２０３が形成されている。また、背シェル２０５は、正面視において、着座者の腰部に対応する部分、すなわち腰部対応部分２１５が左右幅が広く、上に行くほど漸次幅狭となる形状をなしている。
【００５７】
上部領域２１１は、図２ないし図７、図１９、図２０、図２２、図２４に示すように、着座者の背中を受ける前面部分２１７と、この前面部分２１７の上縁に連続して設けられ頂部２０１において略水平になるまで湾曲した上湾曲部分２１９と、この上湾曲部分２１９の後縁に連続して設けられ下方に湾曲して垂れ下がる背面部分２２１とを備えている。そして、背面部分２２１の先端縁２０７には、下方に開口する溝２２３が形成されている。
【００５８】
この溝２２３は、前記背支持部材２０９を嵌合させるための主嵌入部２２５と、この主嵌入部２２５に背支持部材２０９を嵌合させた状態で背支持部材２０９の背面側に開口する副嵌入部２２７とを備えたものである。すなわち、背シェル２０５の先端縁２０７に設けられた溝２２３は、主嵌入部２２５と副嵌入部２２７を連続的に形成した段付き溝状のものであり、この主嵌入部２２５に背支持部材２０９の後述する上取付部２５１を挿入すると、前記副嵌入部２２７のみが外方に開口して残ることとなる。この副嵌入部２２７は、後述する側縁溝２３５と連続しており、これら副嵌入部２２７及び側縁溝２３５を用いて張地２０６を取り付けることにより、背シェル２０５の前面から上部背面側に向かって張地２０６でカバーできるようになっている。
【００５９】
なお、背シェル２０５の上部領域２１１における背面部分２２１に位置する帯状部材２１３の一部には、弾性変形調整用のリブ２２８が設けられている。リブ２２８は、背面部分２２１に位置する帯状部材２１３の左右両側縁から後方に延び出しており、その両リブ２２８の間がちょうど前方に凹んだ凹部２２２となっている。
【００６０】
リブ２２８の存在により、背面部分２２１に位置する帯状部材２１３の部分は、前面部分２１７や上湾曲部分２１９に位置する帯状部材２１３の他の部分よりも弾性変形しにくいものとなっている。背シェル２０５は、この背面部分２２１の下側で剛性を有する背支持部材２０９に接続されているので、仮に、背面部分２２１における帯状部材２１３の厚み寸法が、前面部分２１７や上湾曲部分２１９における帯状部材２１３の厚み寸法と同じであるとすると、着座者の荷重がかかった際に背面部分２２１が積極的に撓み変形してしまい、背シェル２０５の前面部分２１７側を支持することが難しくなるおそれがある。逆に、凹部２２４を完全に埋めてしまうように背面部分２２１の帯状部材２１３の厚み寸法を増すと、背面部分２２１及び上湾曲部分２１９の弾性変形ないし変位の妨げとなってしまう。そこで、リブ２２８及び凹部２２２を成形することにより、背面部分２２１の弾性変形量（固さ）を適度に調整している。無論、リブ２２８及び凹部２２２によらずに、帯状部材２１３の厚み寸法を大きくすることで弾性変形量を調整してもよい。
【００６１】
背シェル２０５の下部領域２２９は、図２ないし図７、図１９、図２０及び図２３に示すように、左右両側が左右方向中間よりも前方に突出した凹型をなしている。この下部領域２２９には、前記帯状部材２１３に連続した突条２３１が形成されており、隣接する突条２３１間に前記開口部２０３に連続した薄肉部２３３が形成されている。背シェル２０５の下部領域２２９は、着座者の腰部に対応する部分２１５を側面視前方に隆起させており、平面視中央が凹むように湾曲させている。
【００６２】
なお、背シェル２０５は、図１、図２、図４、図６、図１９、図２２及び図２３に示すように、左右両側縁にそれぞれ外方に開口した側縁溝２３５を有しており、これら側縁溝２３５と前記溝２２３における副嵌入部２２７とが連続している。また、前記背シェル２０５の下端には、前記側縁溝２３５に連続する下縁溝２３７が設けられている。
【００６３】
この背シェル２０５は、図１ないし図６に示すように、その下部２３９が前記背支持アーム１５１の前面に取り付けられるとともに、その上部２４３が前記背支持部材２０９に支持される。背シェル２０５の下部２３９の取付けについて述べると、左右の背支持アーム１５１の起立部１６１の前面側には、上下に離間させて複数のナット孔２０４が形成されている。他方、背シェル２０５の下部２３９の左右両側部には、これらナット孔２０４に各々対応したビス挿通孔が設けられている。したがって、取付け用のビス２４１を前記ビス挿通孔に前方から挿し通した上、前記ナット孔２０４に螺合緊締することにより、背シェル２０５の下部２３９の左右両側部を左右の背支持アーム１５１の起立部１６１の前面に固定することができる。ビス２４１は、張地２０６を張り設けた際に、覆い隠される。
【００６４】
背支持部材２０９は、図１、図２、図４ないし図７、図１９、図２１、図２２、図２４及び図２５に示すように、前記背シェル２０５の裏面に左右及び下方に開放された空間２４５を形成するように対面配置された板状のものであり、前記背凭れ支持体９に支持され前記背シェル２０５の前後方向へのたわみを制御するものである。背支持部材２０９は、左右両側が左右方向中間よりも前方に突出した前方から見て凹型をなし前記背シェル２０５の上部領域２１１の前面部分２１７及び下部領域２２９の幅寸法よりも小さな幅寸法を有した支持部材本体２４７と、この支持部材本体２４７の下端に設けられ前記上連結材１５３に取付けられる下取付部２４９と、前記支持部材本体２４７の上端に設けられ前記溝２２３の主嵌入部２２５に嵌合する上取付部２５１と、この上取付部２５１、前記支持部材本体２４７及び下取付部２４９に亘って形成されたリブ２５３とを有している。なお、背支持部材の左右両端縁は、中間部より厚くなっており、ここが周辺補強材として機能分担している。
【００６５】
支持部材本体２４７は、図４ないし図７、図１８、図１９、図２１、図２２、図２４及び図２５に示すように、板状のもので、左右両側が左右方向中間よりも前方に突出した湾曲形状をなしており、上取付部２５１の下側に屈曲部２５５が形成されている。この屈曲部２５５は、該屈曲部２５５の上側が下側に対して前方に傾斜するような形状をなしている。換言すれば、この屈曲部２５５は、側面視くの字状に屈曲している。
【００６６】
上取付部２５１は、図４ないし図７、図１９、図２１及び図２４に示すように、前記主嵌入部２２５に密に嵌合し得る厚み寸法を有しているもので、嵌合状態においてねじ２６３を用いて背シェル２０５に取付けられる。すなわち、この上取付部２５１は、支持部材本体２４７の上端から上方に延出された板状のもので、その前面に前記リブ２５３の上端部が位置している。この上取付部２５１の前面において、隣接するリブ２５３間に板ナット２５７を配した上で、その上端部を溝２２３の主嵌入部２２５に嵌合させることによって、前記板ナット２５７を位置決め保持することができるようになっている。そして、この板ナット２５７のねじ孔２５９に背シェル２０５のねじ孔２６１を通して背面側から挿通させたねじ２６３を螺着することによって、この背支持部材２０９を前記背シェル２０５に取付けることができるようになっている。この状態では、前記板ナット２５７が、前記背シェル２０５及び前記背支持部材２０９によって隠されている。
【００６７】
下取付部２４９は、図４ないし図７、図１９、図２１及び図２５に示すように、前記支持部材本体２４７の下端から下方に連続して延出する後壁２６５と、この後壁２６５の上端から前方に延出し前記中間に位置するリブ２５３を相互に連結する天壁２６７と、この天壁２６７の前縁から下方に垂下させた前壁２６９とを備えたもので、前記上連結材１５３に上側から嵌合し得るように下方に開放された形状をなしている。前記下取付部２４９の前壁２６９には、背支持部材２０９を前記上連結材１５３に取付けるためのねじ２７１を挿通させるためのねじ挿通孔２７３が形成されている。
【００６８】
リブ２５３は、図７、図１９、図２１、図２２、図２４及び図２５に示すように、上下方向に亘って伸びるもので、背支持部材２０９の前面に複数枚設けられている。これらのリブ２５３は、上側に向かって漸次突出寸法が小さくなるような形状をなしている。また、これらのリブ２５３は、左右に略一定の間隔をあけて配されている。なお、左右両側に位置するリブ２７５は、支持部材本体２４７の下端においてとぎれており、下取付部２４９まで延出しておらず、この左右両側に位置するリブ２７５の下方には、前記天壁２６７及び前壁２６９は設けられていない。一方、中間に位置するリブ２７７は、下取付部２４９の前壁２６９の前面にまで延出している。なお、左右両側に位置するリブ２７５の突出寸法は、中間に位置するリブ２７７の突出寸法に比べて小さくなるように設定されている。また、背支持部材２０９の下方において、左右両側に位置するリブ２７５の厚み寸法は、中間に位置するリブ２７７の厚み寸法に比べて大きくしてある。具体的には、中間に位置するリブ２７７よりも上下方向の長さの短い左右両側に位置するリブ２７５は、下方において厚み寸法を約６ミリメートルとしており、一方中間に位置するリブ２７７は下方において厚み寸法を約４ミリメートルとしている。そのため、背支持部材２０９を背面側から見た際に、左右両側には縦方向に延びるフレームが存在するように見える。
【００６９】
張地２０６は、図１ないし図７、図２２ないし図２４に示すように、通気性及び透光性を有した布材を主体に構成されたもので、背シェル２０５のほぼ全域を覆い隠し得る寸法を有したほぼ長方形状をなしており、端部２７９を背シェル２０５の外周縁に止着している。詳述すれば、前記張地２０６の下端部２８１を前記背シェル２０５の下縁溝２３７に押し込んで止着するとともに、左右両側の端部２８３を前記背シェル２０５の側縁溝２３５に押し込んで止着している。また、張地２０６の上部２８５を背シェル２０５の上湾曲部分２１９及び背面部分２２１の外面に被せ、その端部２７９を前記溝２２３の副嵌入部２２７に押し込んで止着している。具体的には、前記張地２０６の端部全周縁には、図示しない押し込み材が縫製されており、この押し込み材とともに前記張地２０６の端部２７９、下端部２８１、及び左右両側の端部２８３を、背シェル２０５の溝２２３の副嵌入部２２７、下縁溝２３７、及び側縁溝２３５にそれぞれ取付けるようにしている。なお、張地２０６を背シェル２０５に取付けた状態で、前記背シェル２０５と背支持部材２０９とを結合するねじ２６３の頭をカバーするようになっている。
【００７０】
以上説明したような背凭れ１１は、背面視において前記背シェル２０５の両側縁が、前記背支持部材２０９の両側縁よりも外側にはみ出した状態で視認可能となっている。また、斜め後方からの視線において、前記張地２０６の裏側が、背シェル２０５の開口部２０３を介して視認可能であり、斜め前方からの視線において、前記背支持部材２０９のリブ２５３が視認可能である。
【００７１】
以上のようにしてなる背凭れ１１と前記座７とをロッキング機構１３により連動させるようにしている。
【００７２】
《ロッキング機構の構成》
このロッキング機構１３は、図４ないし図１３に示すように、背凭れ１１の後傾動作に伴わせて座７を傾動させつつ上動させるようにした体重感知式のものである。
【００７３】
詳述すれば、このロッキング機構１３は、図４ないし図１３に示すように、前側に前リンク軸３５を保持するとともに後側に支軸３７を保持する支持基部３と、下端部を前記前リンク軸３５を介して前記支持基部３に回動可能に支持させた前リンク３９と、下端部を前記支軸３７に支持された背支持アーム１５１の軸装部１６７に一体化させてなる後リンク４１と、前リンク取付部１２１を前連結軸１１１を介して前記前リンク３９の回動端１１９に連結するとともに後リンク取付部１２７を後連結軸１２３を介して後リンク４１の回動端１２５に連結してなる座受５とを主体に構成されたものである。
【００７４】
すなわち、このロッキング機構１３は、図４ないし図１３に示すように、座７を支持する座受５を同一方向に傾斜する前リンク３９と後リンク４１とによって支持基部３に支持させ、その支持基部３に支持された背支持アーム１５１の後傾動作に伴わせて、前記前リンク３９及び後リンク４１を起立方向に回動させて前記座受５を上方に持ち上げるように構成した体重感知式のものであり、前記背凭れ１１の後傾時に、前記座７の前部を座７の後部に比べてより多く持ち上げるように構成されたものである。すなわち、通常の背凭れ及び座のシンクロロッキング機構では、背凭れの後傾動作に伴わせて座を下方側にのみ傾動させるものであるが、本実施形態に示すような体重感知式のロッキング機構１３は、通常のロッキング機構とは異なり、図１３に二点鎖線で示すように、背凭れ１１の後傾動作に伴わせて座７を傾動させつつ着座者の荷重に抗して座７を持ち上げるように構成している。
【００７５】
具体的に説明すれば、図１３に示すように、前記背凭れ１１を後傾させていない背起立時において、前リンク３９の前傾度合いが後リンク４１の前傾度合いよりも大きくなるように設定されている。換言すれば、前記背凭れ１１を後傾させていない背起立時において、前リンク３９における水平線に対する傾斜角度αが、後リンク４１における水平線に対する傾斜角度βよりも小さく設定されている。また、前記前リンク３９の支持基部３に対する回転中心を、前記後リンク４１の支持基部３に対する回転中心よりも高い位置に設定している。換言すれば、前記前リンク軸３５の軸心を前記支軸３７の軸心よりも距離ｈ分高い位置に設定している。前記前リンク３９の有効長さ寸法、すなわち前記前リンク軸３５と前記前連結軸１１１との軸心間距離Ｌ１と、前記後リンク４１の有効長さ寸法、すなわち後リンク軸である前記支軸３７と前記後連結軸１２３との軸心間距離Ｌ２とは略同じ距離に設定されている。また、前記背支持アーム１５１が、前記支持基部３における脚支柱１９よりも前側の部位に枢支されている。換言すれば、前記背支持アーム１５１の軸装部１６７が、側面視において前記脚支柱１９よりも前側に位置する支軸３７に支持されている。
【００７６】
前リンク３９の前傾度合いを後リンク４１の前傾度合いよりも大きくしている点は、後傾時に座７の前側を後側よりも相対的に大きく持ち上げることを目的としたもので、前リンク３９と後リンク４１との前傾度合いを相互に大きく異ならせることにより、後傾時の座７の前側の持ち上がりを大きく設定することが可能になる。つまり、前リンク３９は座７の前部すなわち座面７ａの前部７ａ１を上方に持ち上げる動作が多く、後リンク４１は座７を後方に移動させる動作が中心となる。これによって、座面７ａは前部７ａ１を多く持ち上げながら座面７ａの後部７ａ２は後方移動し、後傾する背凭れ１１に追従するように後方に移動していくこととなる。その結果、座面７ａを相対的に後傾させることで座７の後端部と背凭れ１１の下端部との相対的な位置関係の変化が有効に抑えられたものとなっている。
【００７７】
前リンク３９と後リンク４１の回転中心位置を上下方向に異ならせる点は、主に背起立時の座７の水平度合いを調整することを目的としたものであり、前述した前後リンク３９、４１の前傾度合い差と組み合わせることにより、背凭れ１１起立時の座７の姿勢と背凭れ１１後傾時の座７の姿勢を共に最適な状態に設定している。前リンク３９の有効長さ寸法Ｌ１と後リンク４１の有効長さ寸法Ｌ２とを略同寸法とすることにより、前記設定をより適切なものにすることができる。
【００７８】
なお、一般に前記背支持アームが、前記支持基部における脚支柱よりも前側の部位に枢支されている椅子においては、背凭れ後傾時に背凭れが下方に沈みこむ傾向にあるため、背凭れ後傾時に座全体が平均的に上方に持ち上がるようにした通常の体重感知式ロッキング機構を採用した場合には大きな違和感、より具体的には、着座者の予想に反して、座の後側部分を含む座全体が上方に持ち上がる結果、着座者の腰部近傍に、背凭れの沈み込み動作とこの沈み込み動作と相反する座の持ち上がり動作とが同時に発生することによって与えられる違和感が発生するが、本実施形態の構成によればその違和感が緩和されるものとなる。すなわち、本実施形態のものは体重感知式ではあるが背凭れ１１後傾時にも座７の後側が大きく持ち上がることがないので大きな違和感を与えにくいものとなる。
【００７９】
また本実施形態では、この後リンク４１は背支持アーム１５１の回動中心である支軸３７を中心に、背支持アーム１５１及びトルク伝達用のブラケット５７とともに一体的に回動するものとしている。これにより、背凭れ１１の後傾動作に伴う座７の連動動作のみならず、後リンク４１を介した支持基部３による座７の正確な位置決めを併せて実現している。さらに本実施形態では、背凭れ１１の回動範囲を２０度に設定しているとともに、背凭れ１１を最大限後傾させた状態における座面７ａのなす角度は、背凭れ１１起立時に比べて４度後傾するように設定している。すなわち本実施形態では、主に後リンク４１による背凭れ１１後傾時の座受５の略中央部の持ち上げによって起こる座面７ａの後部７ａ２が持ち上がる寸法γ２よりも、前リンク３９による背凭れ１１後傾時の座面７ａの前部７ａ１が持ち上がる寸法γ１をより大きく設定する結果、背凭れ１１の最大後傾時の座面７ａの角度を背凭れ１１起立時よりも４度後傾するようにしている。加えて本実施形態では、後リンク４１を座受５の前後方向における略中央部に接続しているため、背凭れ１１の後傾時前後リンク３９、４１共に座受５を持ち上げるような構成にしても、前リンク３９が後リンク４１よりも多く座受５を持ち上げるので、相対的に座受５の後端部は前端部よりも下がるように設定でき、座受５の前端部が上昇した際に座受５の後端部の高さ位置を、背凭れ１１の起立時と後傾時で殆ど変わらないようにしている。
【００８０】
《肘掛けの構成》
肘掛け１５は、図１ないし図７及び図１８に示すように、前記背凭れ支持体９の背支持アーム１５１における上端部前面から一体に前方に突出させた肘支持部２８７と、この肘支持部２８７の上に設けた肘当て２８９とを具備してなる。
【００８１】
肘支持部２８７は、図３ないし図６及び図１８に示すように、上方に開放した有底舟形をなしている。一方の肘支持部２８７、本実施形態では着座者から見て右側の肘支持部２８７の前端部位の底壁２９１には、貫通した窓２９３を形成しており、その窓２９３を介して下方に操作レバー２９５を突出させている。操作レバー２９５は、脚支柱のロック解除用の操作ボタン３１を操作するためのものである。この操作レバー２９５と前記操作ボタン３１との間はワイヤ２９７で接続しており、操作レバー２９５に加えられた操作力をワイヤ２９７によって操作ボタン３１に伝達することで、操作ボタン３１の操作、ひいては脚支柱のロック／ロック解除の切換えを行い得る。操作レバー２９５の基端部及び操作レバー２９５に接続するワイヤ２９７の一端部は、前記肘支持部２８７の内部に収まっている。
【００８２】
肘支持部２８７の内部空間は、前記背支持アーム１５１の起立部１６１に形成されたワイヤ案内空間２９８に連通している。ワイヤ案内空間２９８は、上下方向に延伸し、かつ、その一部または全部が前方に開口する。ワイヤ案内空間２９８の下端部は、前後方向延出部１５９の直上まで到達しており、背シェル２０５の下部２３９を起立部１６１に取付けた状態で背シェル２０５の下端よりも若干下方に位置して前方に開通している。そのため、操作レバー２９５に接続されたワイヤ２９７は、肘支持部２８７の内部空間からワイヤ案内空間２９８の下端部へと導き出され、そこから前後方向延出部１５９に沿って支持基部３へと到る。
【００８３】
肘当て２８９は、図１ないし図５、図７及び図１８に示すように、前記肘支持部２８７に対して着脱可能である。これにより、共通の肘支持部２８７に取付可能な複数種類の肘当て２８９の中から任意のものを選んで使用することができる。本実施形態で示している肘当て２８９は、肘支持部２８７に対して直接取付けられる取付ベース２９９と、この取付ベース２９９に支持され着座者の腕が載せ置かれる肘当て本体３０１とが一体的に設けられているものである。
【００８４】
取付ベース２９９は、肘支持部２８７及び背支持アーム１５１の上端部１６９に蓋着される基体３０３と、この基体３０３の内方端から略水平に延出するスペーサ３０５とを具備してなる。基体３０３は、前側が図示しない係止機構により肘支持部２８７に掛け止めされるとともに、後側がビス３０７を用いて背支持アーム１５１の前面側に取付けられる。肘当て２８９のスペーサ３０５は、リブ２７５の直下の天壁２６７が存在していない空隙を埋めるためのもので、背支持部材２０９の下取付部２４９の天壁２６７にほぼ連続する板状をなしている。このスペーサ３０５は、前記上連結材１５３の上面と、背支持部材２０９の左右両側に位置するリブ２７５の下端面との間に密に介設される。
【００８５】
《ハンガーの構成》
ハンガー０は、図２６ないし図２８等に示すように、衣服を掛けることができるように左右に拡張したハンガー本体３４５と、ハンガー本体３４５に接合し、背凭れ１１の後向面に接するとともに、背凭れ１１の後向面に臨む前向面３５９を貫いてねじ入れられるボルト３５５により背凭れ１１に対して固定される取付端３５７とを具備してなる。
【００８６】
このハンガー０は、ハンガー本体３４５及び取付端３５７を樹脂一体成形または金属一体成形した部材である。
【００８７】
ハンガー本体３４５は、衣類、例えば上着の肩部等を直に支える。ハンガー本体３４５は、剛体であってもよく、多少の弾性変形を許容するものであってもよいが、ここでは殆ど変形しない剛性の高いものとする。ハンガー本体３４５は、衣服を掛けることができるように左右に拡張した上辺３４７と、その上辺３４７から下方に離間している下辺３４９と、上辺３４７の左端部と下辺３４９の左端部とを連接する左側辺３５１と、上辺３４７の右端部と下辺３４９の右端部とを連接する右側辺３５３とを有しており、背面視閉ループ状となっている。
【００８８】
ハンガー本体３４５の上辺３４７、下辺３４９及び左右の側辺３５１、３５３は、そのループの全周に亘って略相似した断面形状（概ね等断面形状）をなしている。これら上辺３４７、下辺３４９及び左右の側辺３５１、３５３はそれぞれ、その断面形状の前後寸法が上下の厚み寸法よりも大きくなっており、上下に薄い板状である。上辺３４７、下辺３４９及び左右の側辺３５１、３５３の上向面は、側面視若干上方に膨出している。上辺３４７、下辺３４９及び左右の側辺３５１、３５３の下向面もまた、側面視若干下方に膨出している。但し、下辺３４９の下面側は、当該下辺３４９の側端部を除き、取付端３５７に接合して埋没しているために露わとなっていない。
【００８９】
図２６ないし図２９に示すように（なお、図２７は底断面図であり、図中上方が椅子の正面側、下方が背面側である）上辺３４７は、平面視前縁及び後縁が若干後方に凹むように湾曲しながら左右方向に延伸している。加えて、上辺３４７は、左右方向の中央部位が最も高く、側端部に向かうにつれて徐々に低くなってゆくように緩やかに湾曲している。
【００９０】
下辺３４９は、上辺３４７の中央部位における下向面が鉛直下方を向くようにハンガー０の姿勢を位置づけたときに、その上向面が鉛直上方を向くように、略水平に左右方向に延伸している。上辺３４７と異なり、下辺３４９は略真っ直ぐであり、前後にも上下にも殆ど湾曲していない。下辺３４９は、上辺３４７よりも前方に位置するように、上辺３４７に対してオフセットしている。下辺３４９の左右方向の長さは上辺３４７のそれよりも短く、図示例では上辺３４７の三分の一程度である。
【００９１】
左側辺３５１は、左上方から右下方、並びに後上方から前下方に向けて傾斜して延伸している。左側辺３５１の左端部と上辺３４７の左端部との連接部分は、大きな曲率で湾曲ないし屈曲している。左側辺３５１の左端部と下辺３４９の左端部との連接部分は、小さな曲率で湾曲ないし屈曲している。
【００９２】
右側辺３５３は、右上方から左下方、並びに後上方から前下方に向けて傾斜して延伸している。右側辺３５３の右端部と上辺３４７の右端部との連接部分は、大きな曲率で湾曲ないし屈曲している。右側辺３５３の左端部と下辺３４９の右端部との連接部分は、小さな曲率で湾曲ないし屈曲している。
【００９３】
ハンガー０は左右対称形状となっている。そして、ハンガー本体３４５の上辺３４７、下辺３４９及び左右の側辺３５１、３５３は、背面視左右対称形状の逆台形状を形成している。このハンガー本体３４５の内周面、すなわち上辺３４７の下向面、下辺３４９の上向面、左右の側辺３５１、３５３の上向面は一貫して連続している。
【００９４】
取付端３５７は、ハンガー本体３４５が椅子の背凭れ１１に対して揺動しないようにこれを固く支持する剛体であるとともに、ハンガー０を背凭れ１１に固着するブロック状の部位である。取付端３５７は、ハンガー本体３４５の下辺３４９の直下に接合している。取付端３５７は、ハンガー本体３４５の下辺３４９の左右方向の寸法よりも若干小さい左右幅をなしており、ハンガー本体３４５の下辺３４９はその左右両側端のみが取付端３５７の外側面よりも外側方に突き出す。また、ハンガー本体３４５の下辺３４９に接合する取付端３５７の上端部の前縁は、ハンガー本体３４５の下辺３４９の前縁よりも多少前方に飛び出している。
【００９５】
取付端３５７は、背凭れ１１の背面側、より具体的には背シェル２０５の上部領域２１１の背面部分２２１の後向面と背支持部材２０９の屈曲部２５５の上方（かつ、上取付部２５１の直下）の部位の後向面とに跨って（張地２０６越しに）当接する。取付端３５７における、背シェル２０５の上部領域２１１の背面部分２２１に当接する前向面３５９、背支持部材２０９の屈曲部２５５の上方の部位に当接する前向面３６１は、それぞれやや前傾している。前者の前向面３５９の後背にあたる後向面は後傾しており、取付端３５７を側面視概ね逆三角形状をなすように見せている。なお、背シェル２０５の上部領域２１１の背面部分２２１と、背支持部材２０９の屈曲部２５５の上方の部位との間には段差が存在する。従って、後者の前向面３６１を包含する取付端３５７の下端部は、前者の前向面３５９の下縁から前方に突出しており、当該下端部の上向面が、背シェル２０５の先端縁２０７に当接ないし近接する。要するに、両前向面３５９、３６１を介して、取付端３５７が段差のある背凭れ１１の後背にぴったりと沿う。
【００９６】
取付端３５７の後向面には、後方に開口し前方に凹む凹部３６３が形成されている。凹部３６３の後端部の開口縁は、背面視左右方向に長尺な略方形状をなす。この凹部３６３の底は全体的には浅く、後述するキャップ３７７の前後厚さ程度の深さしかないが、一部を（他の部位と比較して前方に大きく凹む）深底３６５としている。図示例では、略円筒状の内周をなす深底部３６５が左右一対、凹部３６３の左右の両側縁からやや内側方に偏倚した箇所に存在している。凹部３６３の深底部３６５の底面、換言すれば前端面は、取付端３５７の前向面３５９と表裏の関係にある。そして、この凹部３６３の深底部３６５の底を前後に貫通して、ハンガー０固定用のボルト３５５の軸部を挿通するためのボルト挿通孔３６７が穿たれている。ボルト挿通孔３６７は、取付端３５７の前向面３５９に開口し、凹部３６３（特に、深底部３６５）内を前向面３５９、３６１の前方に連通せしめる。ボルト挿通孔３６７は複数、図示例では左右の深底部３６５にそれぞれ一つづつ存在している。
【００９７】
因みに、取付端３５７を正面側から見たとき、左右のボルト挿通孔３６７の間には、前方に開口し後方に凹んだ凹陥３６９が形成されている。この凹陥３６９の裏側は、上記の凹部３６３における左右の深底部３６５間の底の浅い部位に該当する。加えて、左右のボルト挿通孔３６７の外側方には、スロット孔３７１が形成されている。スロット孔３７１は、上下方向に長く左右方向に細い略方形状をなし、取付端３５７を前後に貫通している。スロット孔３７１の上端部は、ハンガー本体３４５の下辺３４９にまで達しており、下辺３４９を極一部であるが切り欠いている。このスロット孔３７１の後端部は、凹部３６３内の側端近傍に開口している。
【００９８】
また、当該取付端３５７の下方部位、ちょうど凹陥３６９やスロット孔３７１の下端よりも下方にある領域は、左右方向に間欠的に複数本のリブ３７３が並ぶ形状に成形してあり、リブ３７３間の肉を盗んでいる。各リブ３７３は、形状が互いに相似している。リブ３７３は、側面視略Ｌ字形をなす左右に薄い薄板体であり、背凭れ１１の背面側の段差部分と係わり合う。すなわち、リブ３７３の上部は、背シェル２０５の上部領域２１１の背面部分２２１に当接する前向面３５９の一部を構成する。リブ３７３の下部は、取付端３５７の下端部、すなわち背支持部材２０９の屈曲部２５５の上方の部位に当接する前向面３６１の一部を構成する。各リブ３７３の下端部は、取付端３５７の下壁３７５の上向面に連接している。この下壁３７５の前端面もまた、背支持部材２０９の屈曲部２５５の上方の部位に当接する前向面３６１の一部となる。
【００９９】
取付端３５７の凹部３６３には、キャップ３７７を装着することができる。キャップ３７７は、凹部３６３の後端部の開口を閉塞して凹部３６３内を後方から遮蔽し得る板状体である。キャップ３７７は、凹部３６３に対して着脱自在とする。例えば、図３８に示しているように、キャップ３７７の外側縁部から、当該キャップ３７７の板厚よりも薄い薄片３７９を左右に突出させる一方、この薄片３７９を受け入れる係合溝３８３を凹部３６３の開口の左右両側縁付近に形成しておき、薄片３７９と係合溝３８３との係合を通じてキャップ３７７を取付端３５７に止着するものとする。図２９に示しているように、キャップ３７７を取付端３５７に装着している状態で、キャップ３７７の後面は取付端３５７の後面と略面一になる。
【０１００】
キャップ３７７の前向面には、突起３８１が設けられている。突起３８１は、キャップ３７７の前向面に対して略直交する方向に突出している。突起３８１は複数、図示例ではキャップ３７７の左右の両側縁からやや内側方に偏倚した箇所に一対存在している。それら左右の突起３８１間の距離は、取付端３５７に穿たれた左右のボルト挿通孔３６７間の距離に略等しい。突起３８１は、円柱状の外形をなしており、その周面には凹凸が形成される。突起３８１の周面の凹凸は、例えば、ボルト３５５の軸部の雄ねじのねじ山の高さと同程度の深さ、雄ねじのピッチと同程度の溝幅を有する環状溝を、突起３８１の軸心方向に沿って多数本並べたような形状のものとする。
【０１０１】
しかして、背凭れ１１の側には、ハンガー０固定用のボルト３５５と螺合する雌ねじが予め設けられる。本実施形態では、背シェル２０５及び背支持部材２０９とは別体をなすナット３２７を、背シェル２０９と背支持部材２０９との間に収めるようにしている。このナット３２７を収める構造は、背シェル２０５と背支持部材２０９との連結に利用されるナット２５７を収める構造に類似している。
【０１０２】
ナット３２７は、例えば、内周に雌ねじ孔を切った薄板状の板ナットである。無論、六角ナット等を用いても構わない。
【０１０３】
これに対し、背支持部材２０９の上取付部２５１の前面、隣接するリブ２５３間には、前方に厚みを増した肉厚部分が成形されており、この肉厚部分に、前後に貫通した貫通孔２５２が穿たれ、さらにその前面側に、ナット３２７を収容できるように貫通孔２５２から上下及び左右に拡張した座ぐり２５４が形成されている。貫通孔２５２及び座ぐり２５４は、ハンガー０の取付端３５７のボルト挿通孔３６７に対応して複数、図示例では左右一対存在している。
【０１０４】
座ぐり２５４に挿入されて配置されたナット３２７は、背支持部材２０９の上取付部２５１を背シェル２０５の溝２２３の主嵌入部２２５に嵌合させることにより、脱落しないよう保持されると同時に背シェル２０５に覆い隠される。また、背シェル２０５の上部領域２１１の背面部分２２１には、主嵌入部２２５を背面部分２２１の後背に連通せしめるように背面部分２２１の後壁を前後に貫通したボルト孔２２６が穿たれている。背支持部材２０９の上取付部２５１を背シェル２０５の溝２２３の主嵌入部２２５に嵌合させた状態で、このボルト孔２２６と貫通孔２５２及びナット３２７の内周の雌ねじ孔とは（軸心方向から見て）略同心軸上に重なり合う。背シェル２０５に穿たれたボルト孔２２６、背支持部材２０９に穿たれた貫通孔２５２及びナット３２７の雌ねじ孔は、総体として、ボルト３５５の軸部がねじ入れられる螺入穴になる。
【０１０５】
加えて、張地２０６の上部２８５を背シェル２０５の背面部分２２１に被せる都合上、この張地２０６の上部２８５にも、ボルト３５５を通すための、前記ボルト孔２２６と重なり合う貫通孔２８６を穿っておく必要がある。この貫通孔２８６は、工場で組み立てられた当初の椅子０、ハンガー０を装備しない仕様の椅子、またはハンガー０がオプションである椅子においては開通しておらず、背凭れ１１に初めてハンガー０を取り付ける段になって開けられる。つまり、ハンガー０が一度も取り付けられたことのない椅子では、ボルト孔２２６、貫通孔２５２及びナット３２７の雌ねじ孔が張地２０６によって後方から隠蔽された状態となっている。
【０１０６】
ハンガー０を背凭れ１１に取り付けるにあたっては、張地２０６の上部２８５に貫通孔２８６を開設した後、取付端３５７を背シェル２０５の上部領域２１１の背面部分２２１及び背支持部材２０９の屈曲部２５５の上方の部位に当接させ、取付端３５７の前向面３５９を前記ボルト孔２２６が穿たれた背面部分２２１の後向面に臨ませ、かつ取付端３５７の下端部の前向面３６１を屈曲部２５５の上方の部位の後向面に臨ませる。次いで、取付端３５７の後方から、ボルト３５５を凹部３６３内、さらに言えば深底部３６５）内に挿入し、ボルト３５５の軸部を取付端３５７のボルト挿通孔３６７、張地２０６の上部２８５の貫通孔２８６、背シェル２０５の背面部分２２１のボルト孔２２６、及び背支持部材２０９の上取付部２５１の貫通孔２５２に挿通する。その上で、当該ボルト３５５の軸部を、背支持部材２０９の上取付部２５１に設けたナット３２７に螺合緊締する。しかる後、凹部３６３の後端部の開口にキャップ３７７を装着すれば、ハンガー０の取り付けが完了する。凹部３６３に装着したキャップ３７７は、取付端３５７の後向面と略面一となるように後傾姿勢をとる。このとき、キャップ３７７の前向面から突出する突起３８１は前上方を向いて凹部３６３の深底部３６５内に収まり、深底部３６５の内周やボルト３５５の頭部に干渉することはない。
【０１０７】
背凭れ１１からハンガー０を取り外すにあたっては、凹部３６３の後端部の開口からキャップ３７７を外して凹部３６３を開放し、ナット３２７に螺合緊締しているボルト３５５を緩めて抜き取ればよい。なお、背凭れ１１からハンガー０を取り外して椅子を使用する場合、そのままでは張地２０６の貫通孔２８６や背シェル２０５のボルト孔２２６、背支持部材２０９の貫通孔２５２、あるいはナット３２７の雌ねじ孔が露わとなってしまう。そこで、ハンガー０の取付端３５７の後面側の凹部３６３に装着するキャップ３７７を流用して、張地２０６の貫通孔２８６等を隠蔽できるようにすることが好ましい。既に述べた通り、このハンガー０の取付端３５７のキャップ３７７には突起３８１が設けられている。この突起３８１の外径は、ボルト３５５がねじ入れられる螺入穴（背シェル２０５のボルト孔２２６、背支持部材２０９の貫通孔２５２及びナット３２７の雌ねじ孔の総体）の内径に略等しい。突起３８１の突出長さは、前記螺入穴の軸方向に沿った奥行長さに略等しいか、それよりも多少短い。従って、図３０及び図３１に示すように、ハンガー０を取り外した際に露出する部位に所在している螺入穴を嵌合穴として利用し、この螺入穴にキャップ３７７の突起３８１を嵌め入れることにより、キャップ３７７を背凭れ１１の背面側、背シェル２０５の上部領域２１１の背面部分２２１に（張地２０６越しに）当接させた状態に装着することが可能である。キャップ３７７を背凭れ１１の背面側に装着すれば、張地２０６の貫通孔２８６等を好適に隠蔽でき、ハンガー０を取り外して椅子を使用する場合にも家具としての格調、美観を保つことができる。
【０１０８】
本実施形態の椅子では、背凭れ１１に取り付けられるハンガー０が、衣服を掛けることができるように左右に拡張したハンガー本体３４５と、前記ハンガー本体３４５に接合し、背凭れ１１の後向面に接するとともに、背凭れ１１の後向面に臨む前向面３５９を貫いてねじ入れられるボルト３５５により背凭れ１１に対して固定される取付端３５７とを一体成形してなる。本実施形態によれば、背凭れ１１にハンガー０を簡便に取り付けることができる。また、必要に応じて、背凭れ１１からハンガー０を取り外す作業も容易となる。加えて、（左右の側辺３５１、３５３の傾斜により）ハンガー本体３４５が側面視下方から上方に向かうにつれて徐々に後方に偏倚する形状となっていることから、ハンガー本体３４５を背凭れ１１の上部（背シェル２０５の上部領域２１１）から後方に引き離すことができるので、ハンガー０の存在が背凭れ１１の上部の弾性変形を徒に阻害しない。
【０１０９】
前記取付端３５７の前向面３５９の後背に、前方に凹み後方に開口する凹部３６３を形成し、この凹部３６３の底を前後に貫通させて前記ボルト３５５の軸部を挿通するボルト挿通孔３６７を穿ち設けており、着脱可能なキャップ３７７によって前記凹部３６３を後方から閉塞することとしており、ハンガー０を背凭れ１１に固定するボルト３５５を隠蔽して家具としての格調を保つことができる。
【０１１０】
前記キャップ３７７は、前記背凭れ１１における前記ハンガー０を取り外した際に露出する部位に装着できるものであるため、ハンガー０を用いない場合またはハンガーを設けない仕様の椅子において、ハンガー０に装着するキャップ３７７を流用して、背凭れ１１の後向面に現れる張地２０６の貫通孔２８６、背シェル２０５のボルト孔２２６、背支持部材２０９の貫通孔２５２、あるいはナット３２７の雌ねじ孔を好適に隠蔽することが可能である。
【０１１１】
また、前記ハンガー０は、衣服を掛けることができるように左右に拡張した上辺３４７とその上辺３４７から下方に離間している下辺３４９とを有して背面視閉ループ状をなすハンガー本体３４５と、前記ハンガー本体３４５に接合し、背凭れ１１の背面側に固定される取付端３５７とを具備してなるものである。ハンガー本体３４５が閉ループ状をなしているため、全体として剛性を高めることができ、様々な方向から加わる外力に対して変形しにくい。
【０１１２】
前記ハンガー本体３４５の上辺３４７は下辺３４９よりも長く、斜め内方に向いた左右両側辺３５１、３５３によって上辺３４７の左右両端部と下辺３４９の左右両端部とをそれぞれ連接しており、これら上辺３４７、下辺３４９及び左右両側辺３５１、３５３が背面視左右対称形状の逆台形状を形成しており、その下辺３４９が前記取付端３５７を介して背凭れ１１の背面側に取り付けられるものであるため、ハンガー本体３４５の左右のバランスがよく、その剛性をより高めやすい。
【０１１３】
前記ハンガー本体３４５がそのループの全周に亘って略相似した断面形状をなしているため、ハンガー本体３４５の局所に荷重が集中するおそれが低減し、破損しにくい耐久性の高いハンガー０となる。
【０１１４】
前記ハンガー本体３４５が樹脂成形品である場合、前記ハンガー本体３４５の断面形状の前後寸法がその厚み寸法よりも大きくなっていることにより、前後方向に型を抜く態様で成形しやすく、また前後方向に容易に変形しない、上着等を掛けておく用途に適したものとなる。
【０１１５】
前記取付端３５７が前記ハンガー本体３４５の下辺３４９の直下に接合しており、ハンガー本体３４５及び取付端３５７を樹脂一体成形しているため、ハンガー０が単一の部材となり、椅子の背凭れ１１に対する付け外しが簡便となる。
【０１１６】
そして、前後方向を向くボルト３５５により前記取付端３５７が背凭れ１１の背面側に止着されるものであるため、椅子の背面側からハンガー０の付け外しの作業を行いやすい。
【０１１７】
さらにまた、前記ハンガー０は、衣服を掛けることができるよう左右に拡張したハンガー本体３４５を支持する取付端３５７に、当該取付端３５７を背凭れ１１の背面側に止着するためのボルト３５５の軸部を挿通するボルト挿通孔３６７を穿ち設け、前記ボルト３５５の頭部及び前記ボルト挿通孔３６７を隠蔽するキャップ３７７を前記取付端３５７に対して着脱可能としたものであり、前記キャップ３７７の前向面に突起３８１を設ける一方、前記背凭れ１１における前記ハンガーを取り外した際に露出する部位に嵌合穴（螺入穴、すなわち背シェル２０５のボルト孔２２６、背支持部材２０９の貫通孔２５２及びナット３２７の雌ねじ孔の総体）を形成しておき、前記突起３８１と前記嵌合穴との嵌め合いを通じて当該部位に前記取付端３５７から取り外したキャップ３７７を装着できるように構成しているため、背凭れ１１からハンガー０を取り外して椅子を使用する場合において、キャップ３７７を流用して張地２０６の貫通孔２８６等を好適に隠蔽することができる。その上、背凭れ１１の背面側にキャップ３７７を装着する際の取付強度も高まる。
【０１１８】
背凭れ１１の背面側に開口している、背凭れ１１にハンガーを取り付ける際に前記ボルト３５５の軸部がねじ入れられる螺入穴を前記嵌合穴として利用しており、背凭れ１１の背面側にキャップ３７７を装着するための穴を別途穿ち設ける必要がない。
【０１１９】
背凭れ１１にハンガーを一度も取り付けていない段階では、背凭れ１１の外装となる張地２０６の上部２８５に貫通孔２８６は開けられておらず、この張地２０６によって前記螺入穴が覆われていることから、ハンガー０を装備しない仕様の椅子またはハンガー０がオプションである椅子において、キャップ３７７を使用せずともその格調、美観を高めることができ、好ましい。
【０１２０】
背凭れ１１からハンガーを取り外した際、前記キャップ３７７の突起３８１を、張地２０６に穿たれた前記ボルト３５５を通すための貫通孔２８６を介して前記螺入穴に嵌め入れるものとしており、張地２０６に開いた孔２８６を確実に隠蔽することができる。
【０１２１】
前記キャップ３７７の突起３８１が、前記螺入穴の内径に略等しい外径の円柱状の外形をなし、その周面に凹凸を形成しているため、螺入穴（のナット３２７）の雌ねじによく係合し、背凭れ１１の背面側にキャップ３７７を装着したときにそのキャップ３７７が背凭れ１１から脱落しにくくなる。
【０１２２】
前記取付端３５７の後背に、前方に凹み後方に開口する凹部３６３を形成し、この凹部３６３の底を前後に貫通させて前記ボルト３５５の軸部を挿通するボルト挿通孔３６７を穿ち設けており、前記キャップ３７７により前記凹部３６３を後方から閉塞することで前記ボルト３５５の頭部及び前記ボルト挿通孔３６７を隠蔽することとしており、図２９に示しているように前記キャップ３７７の突起３８１が他の部材やボルト３５５に干渉しない形で前記凹部３６３内に収まる、換言すれば凹部３６３内で突起３８１が宙に浮く。これにより、取付端３５７の凹部３６３にキャップ３７７を装着している間は突起３８１が摩耗せず、キャップ３７７の再利用に好適となる。
【０１２３】
突起３８１はキャップ３７７の外周縁から内方に偏倚した位置に存在しているため、このキャップ３７７を取付端３５７または背凭れ１１に選択的に装着したときに突起３８１が周囲から見えにくくなる。図２９に示しているように、キャップ３７７を取付端３５７の凹部３６３に装着している場合、キャップ３７７は水平方向に対して後傾しているので、椅子を背後から見たときにキャップ３７７の存在が目に付きにくい。また、突起３８１は前上方を向く姿勢をとり、ボルト３５５の軸心方向に対して交差しており、突起３８１をある程度以上長くしてもボルト３５５の頭部と干渉しない。
【０１２４】
なお、本発明は以上に詳述した実施形態に限られるものではない。例えば、上記実施形態では、ハンガー本体３４５と取付端３５７とが一体成形されていたが、ハンガー本体と取付端とを別個の部材とし、取付端に対してハンガー本体を事後的に接合するようにしてもよい。
【０１２５】
また、上記実施形態では、ハンガー取付用のボルトがねじ入れられる螺入穴２２６、２５２、３２７にキャップ３７７の突起３８１を嵌め入れるようにしていたが、螺入穴とは別に嵌合穴を背凭れの背面に穿ち設けておき、その嵌合穴に突起を嵌め入れて背凭れにキャップを取り付ける態様をとることを妨げない。
【０１２６】
その他各部の具体的構成は、本発明の趣旨を逸脱しない範囲で種々変形が可能である。
【産業上の利用可能性】
【０１２７】
本発明は、例えばオフィス等において使用される事務用椅子として利用することができる。
【符号の説明】
【０１２８】
０…ハンガー
１１…背凭れ
３４５…ハンガー本体
３５７…取付端
３５５…ボルト
【図１】
0005625177.tif 000002
【図２】
0005625177.tif 000003
【図３】
0005625177.tif 000004
【図４】
0005625177.tif 000005
【図５】
0005625177.tif 000006
【図６】
0005625177.tif 000007
【図７】
0005625177.tif 000008
【図８】
0005625177.tif 000009
【図９】
0005625177.tif 000010
【図１０】
0005625177.tif 000011
【図１１】
0005625177.tif 000012
【図１２】
0005625177.tif 000013
【図１３】
0005625177.tif 000014
【図１４】
0005625177.tif 000015
【図１５】
0005625177.tif 000016
【図１６】
0005625177.tif 000017
【図１７】
0005625177.tif 000018
【図１８】
0005625177.tif 000019
【図１９】
0005625177.tif 000020
【図２０】
0005625177.tif 000021
【図２１】
0005625177.tif 000022
【図２２】
0005625177.tif 000023
【図２３】
0005625177.tif 000024
【図２４】
0005625177.tif 000025
【図２５】
0005625177.tif 000026
【図２６】
0005625177.tif 000027
【図２７】
0005625177.tif 000028
【図２８】
0005625177.tif 000029
【図２９】
0005625177.tif 000030
【図３０】
0005625177.tif 000031
【図３１】
0005625177.tif 000032